(57)【要約】【課題】従来通りの柔軟で軽い着心地とスタンダードな外観を損なうことなくシャツの肩部分の保温性を向上して冬期などに防寒効果が得られるようにする。【解決手段】肩部分を成すヨーク７を二枚重ねの衣料生地７ａ，７ｂにより仕立てられたシャツ１に関し、前記ヨーク７の二枚重ねの衣料生地７ａ，７ｂ間に、保温性を有する不織布シート９を介装する。人が最も寒さを感じ易いと言われる肩部分の保温性が著しく向上されるので、シャツ１の上にセーターやベストを着込まなくても、冬期などに防寒効果が得られ、しかも、不織布シート９自体が柔軟で軽量な素材である上、この不織布シート９はヨーク７の二枚重ねの衣料生地７ａ，７ｂ間に介装されるだけなので、従来通りの柔軟で軽い着心地とスタンダードな外観を維持することが可能となる。【選択図】図１
0003173861.tif 000002
【実用新案登録請求の範囲】
【請求項１】
肩部分を成すヨークを二枚重ねの衣料生地により仕立てられたシャツにおいて、前記ヨークの二枚重ねの衣料生地間に、保温性を有する不織布シートを介装したことを特徴とするシャツ。
【請求項２】
不織布シートが中空ポリエステル繊維により構成されていることを特徴とする請求項１に記載のシャツ。
【請求項３】
不織布シートがコットン又はアクリル繊維の少なくとも何れか一方と中空ポリエステル繊維との混紡素材により構成されていることを特徴とする請求項１に記載のシャツ。
【考案の詳細な説明】
【技術分野】
【０００１】
本考案は、シャツに関するものである。
【背景技術】
【０００２】
近年においては、省エネルギーや地球温暖化などの環境問題に対する意識の高まりから、服装で防寒対策を行うことで暖房設備の設定温度を極力下げて冬の寒さを乗り切ろうとするウォームビズの運動が推奨されており、自分の勤めている会社で内勤業務を行うような場合に、セーターやベストを着込んで仕事をする姿などは既に珍しいものではなくなってきている。
【考案の概要】
【考案が解決しようとする課題】
【０００３】
しかしながら、セーターやベストを着込んだ上からスーツの上着を羽織るスタイルは、もこもことして着心地が悪く、すっきりとしたスーツのシルエットが崩れて見栄えが悪くなってしまうため、スーツを快適な着心地でおしゃれに着こなしたいと考える購買層には受け入れられていないのが実情であり、特に得意先などを訪問するにあたり、スーツの上着の下にセーターやベストを着込んでいたのでは、先方に対しカジュアル過ぎる印象を与えかねない。
【０００４】
また、シャツの素材自体を厚手のものにして保温性を上げることも考えられるが、シャツの素材自体を厚手のものとした場合には、ごわごわした柔軟性に欠ける風合いとなってしまう上に全体的に重くなって着心地が悪くなるという問題があった。
【０００５】
本考案は上述の実情に鑑みてなしたもので、従来通りの柔軟で軽い着心地とスタンダードな外観を損なうことなくシャツの肩部分の保温性を向上して冬期などに防寒効果が得られるようにすることを目的としている。
【課題を解決するための手段】
【０００６】
本考案は、肩部分を成すヨークを二枚重ねの衣料生地により仕立てられたシャツにおいて、前記ヨークの二枚重ねの衣料生地間に、保温性を有する不織布シートを介装したことを特徴とするものである。
【０００７】
而して、このようにすれば、ヨークの二枚重ねの衣料生地間に、保温性を有する不織布シートを介装したことにより、人が最も寒さを感じ易いと言われる肩部分の保温性が著しく向上されるので、シャツの上にセーターやベストを着込まなくても、冬期などに防寒効果が得られる。
【０００８】
しかも、不織布シート自体が柔軟で軽量な素材である上、この不織布シートはヨークの二枚重ねの衣料生地間に介装されるだけなので、従来通りの柔軟で軽い着心地とスタンダードな外観を維持することが可能となる。
【０００９】
更に、本考案においては、不織布シートが中空ポリエステル繊維により構成されていることが好ましく、このようにした場合には、中空ポリエステル繊維の空洞部に溜まる空気により良好な保温性が保たれると共に、空洞部の存在により軽くて薄い不織布シートが得られる。
【００１０】
尚、不織布シートは、中空ポリエステル繊維だけで構成した場合に、より保温性が高く且つ軽くて薄いものとなるが、コットン又はアクリル繊維の少なくとも何れか一方との混紡素材により構成されていても良い。
【考案の効果】
【００１１】
上記した本考案のシャツによれば、下記の如き種々の優れた効果を奏し得る。
【００１２】
（Ｉ）本考案の請求項１に記載の発明によれば、従来通りの柔軟で軽い着心地とスタンダードな外観を損なうことなくシャツの肩部分の保温性を向上して冬期などに防寒効果を得ることができ、例えば、ビジネス用のワイシャツなどに適用すれば、すっきりとしたスーツのシルエットを崩すことなく防寒効果を得ることができて、快適な着心地でおしゃれに着こなすことができる。
【００１３】
（ＩＩ）本考案の請求項２，３に記載の発明によれば、中空ポリエステル繊維の空洞部に溜まる空気により良好な保温性を保つことができ、しかも、空洞部の存在により軽くて薄い不織布シートを実現することができる。
【図面の簡単な説明】
【００１４】
【図１】本考案を実施する形態の一例を示す正面図である。
【図２】図１のシャツの背面図である。
【図３】図２のＩＩＩ−ＩＩＩ矢視の断面図である。
【図４】ヨークの片方の衣料生地に不織布シートを縫い付けた状態の平面図である。
【考案を実施するための形態】
【００１５】
以下本考案の実施の形態を図面を参照しつつ説明する。
【００１６】
図１〜図４は本考案の一形態例を示すもので、図中１はシャツ、２は衿、３は衿腰、４はシャツ１の前を閉じ合わせた時に外側になる正面部分を成す上前身頃、５はシャツ１の前を閉じ合わせた時に内側になる正面部分を成す下前身頃、６はシャツ１の背面部分を成す後身頃、７はシャツ１の肩部分を成すヨーク、８は左右の袖を示している。
【００１７】
これらのうちでシャツ１の肩部分を成すヨーク７は、シャツ１の立体感を醸し出すための保形性を有するよう従来から二枚の衣料生地７ａ，７ｂ（図３参照）を重ね合わせて仕立てられるようになっているが、本形態例においては、このヨーク７の二枚重ねの衣料生地７ａ，７ｂ間に、保温性を有する不織布シート９を介装した構成を採用している。
【００１８】
ここで、不織布シート９は、従来より寝袋（スリーピングバッグ）やアウトドアウェアなどに保温素材として使用されている中空ポリエステル繊維により構成されており、この種の中空ポリエステル繊維は、空洞部を有するマカロニ状のポリエステル繊維となっていて、空洞部に溜まる空気により良好な保温性が保たれるようになっている。
【００１９】
尚、不織布シート９は、中空ポリエステル繊維だけで構成した場合に、より保温性が高く且つ軽くて薄いものとなるが、コットン又はアクリル繊維の少なくとも何れか一方との混紡素材により構成されていても良い。
【００２０】
ヨーク７の二枚重ねの衣料生地７ａ，７ｂ間に不織布シート９を介装するにあたっては、図３及び図４に詳細を示す如く、ヨーク７の裏布となる衣料生地７ｂの内側面に不織布シート９をしつけ縫いしておき、該不織布シート９を挟んでヨーク７の表布となる衣料生地７ａを重ね合わせ、両衣料生地７ａ，７ｂの下端部間に後身頃６の上端部を挟み込んで縫着するようにしてある。
【００２１】
また、両衣料生地７ａ，７ｂの上端部中央の衿ぐり部分１０（図４参照）は、衿腰３の下端部と縫着されるようになっているが、この衿腰３自体も二枚重ねの衣料生地３ａ，３ｂ間に芯地３ｃを挟み込んだ構成となっているため、先に衿腰３の表布となる衣料生地３ａの下端部とヨーク７の衣料生地７ａ，不織布シート９，衣料生地７ｂの上端部とを縫着した後、衿腰３の裏布となる衣料生地３ａの下端部を芯地３ｃ（衣料生地３ａの内側面に予め接着）と共に縫着するようにしてある。
【００２２】
尚、両衣料生地７ａ，７ｂの上端部における衿ぐり部分１０の両側は、肩部分の最頂部を超えて正面側へ回り込み、上前身頃４及び下前身頃５の夫々の上端部と縫着されるようになっている。
【００２３】
而して、このようにすれば、ヨーク７の二枚重ねの衣料生地７ａ，７ｂ間に、保温性を有する不織布シート９を介装したことにより、人が最も寒さを感じ易いと言われる肩部分の保温性が著しく向上されるので、シャツ１の上にセーターやベストを着込まなくても、冬期などに防寒効果が得られる。
【００２４】
しかも、不織布シート９自体が柔軟で軽量な素材である上、この不織布シート９はヨーク７の二枚重ねの衣料生地７ａ，７ｂ間に介装されるだけなので、従来通りの柔軟で軽い着心地とスタンダードな外観を維持することが可能となる。
【００２５】
従って、上記形態例によれば、従来通りの柔軟で軽い着心地とスタンダードな外観を損なうことなくシャツ１の肩部分の保温性を向上して冬期などに防寒効果を得ることができ、例えば、ビジネス用のワイシャツなどに適用すれば、すっきりとしたスーツのシルエットを崩すことなく防寒効果を得ることができて、快適な着心地でおしゃれに着こなすことができる。
【００２６】
また、特に本形態例においては、不織布シート９が中空ポリエステル繊維により構成されているので、該中空ポリエステル繊維の空洞部に溜まる空気により良好な保温性を保つことができ、しかも、空洞部の存在により軽くて薄い不織布シート９を実現することができる。
【００２７】
尚、本考案のシャツは、上述の形態例にのみ限定されるものではなく、不織布シートは保温性を有する素材により構成されていれば良いのであって、必ずしも中空ポリエステル繊維及びその混紡素材を素材としなくても良いこと、その他、本考案の要旨を逸脱しない範囲内において種々変更を加え得ることは勿論である。
【符号の説明】
【００２８】
１  シャツ
７  ヨーク
７ａ，７ｂ  衣料生地
９  不織布シート
【図１】
0003173861.tif 000003
【図２】
0003173861.tif 000004
【図３】
0003173861.tif 000005
【図４】
0003173861.tif 000006